(57)【特許請求の範囲】
【請求項１】
運転者が乗車するハイルーフ仕様の乗車キャビンを備え、警報音を発生する警報音発生器が前記乗車キャビンに搭載される緊急車両であって、
ハイルーフ仕様の乗車キャビンの天井部の前方側に前記警報音発生器を収納する発生器収納室が設けられるとともに、この発生器収納室は乗車キャビン上壁よりも乗車キャビン内部側に形成され、前記警報音発生器は相反する方向に逆位相の音を同時に発生させて音の打消し減衰部が形成される一対のホーンを有し、一方のホーンから発生する音の主軸が斜め下方前方に延びるとともに、他方のホーンから発生する音の主軸が斜め上方後方に延びるように、前記警報音発生器を前記発生器収納室内に傾斜させて配置し、乗車キャビンの少なくとも運転者が音の打消し減衰部に対応することを特徴とすることを特徴とする緊急車両。
【請求項２】
発生器収納室に、一方のホーンからの音が放射される前方側放射口と、他方のホーンからの音が放射される後方側放射口とが設けられていることを特徴とする請求項１に記載の緊急車両。
【請求項３】
一対のホーン間の中間部位が、乗車キャビンの運転者が着座した状態における頭部位置よりも前方に配置されることを特徴とする請求項１又は請求項２に記載の緊急車両。
【請求項４】
前記発生器収納室に、警報音発生器と相違する副警報音発生器が収納されることを特徴とする請求項１〜請求項３のいずれか１項に記載の緊急車両。
【請求項５】
前記警報音発生器は、前記一対のホーンと、各ホーンにそれぞれ付設される駆動部としてのドライバーユニットを備え、これらを直列状に配置していることを特徴とする請求項１〜請求項４のいずれか１項に記載の緊急車両。
【請求項６】
消防車であることを特徴とする請求項１〜請求項５のいずれか１項に記載の緊急車両。
【請求項７】
救急車であることを特徴とする請求項１〜請求項５のいずれか１項に記載の緊急車両。
【発明の詳細な説明】
【技術分野】
【０００１】
本発明は、緊急車両に関し、特に、緊急自動車等のサイレン音（警報音）を発生する警報音発生器を搭載したハイルーフ仕様の緊急車両に関する。
【背景技術】
【０００２】
消防本部等の指揮者から適時現場状況等の指令を受け、現場に急行する緊急車両において、両者間の無線通信装置によって、指揮者の指令を運転者へ的確に伝えることにより、
緊急車両の迅速な運行が可能となる。
【０００３】
しかしながら、このような緊急車両では、緊急走行時にはサイレン音（警報音）を鳴らす必要がある。このため、運転者の頭部付近の音響状態は重要である。すなわち、通常、緊急車両においては、キャビンの天井部に警報音発生器（サイレン用スピーカ等）が搭載され、車両進行方向に音響放射面を向けている。このため、運転者の頭部付周辺に伝播し、前記指揮者からの指令伝達を的確に行うことができないおそれがあった。
【０００４】
このため、警報音発生器等を搭載すれば、遮音、吸音、ダンピング、および振動絶縁等の受動的（パッシブ制御）な減音対策を必要としていた。このようなパッシブ制御を行う場合、遮音や吸音材等を必要として、コスト高となるとともに、重量化を招くおそれもあった。
【０００５】
そのため、従来には、警告音を発生する一対の音響放射面を互いに外側に向けて同軸上に構成した警報音発生器（ダイポール音源、つまり二重音源）を、運転者の真上のキャビン天井に設けたものが提案されている（特許文献１）。
【０００６】
前記特許文献１に記載の車両では、図１１に示すように、ダイポール音源（二重音源）１は運転者２近傍に配設され、音響信号は信号処理手段によって増幅された後、ダイポール音源１に入力し再生音として音響放射される。音響放射の主軸ａ，ａ’は車体３以外に向いていて指向特性ｂ，ｂ’を形成している。一方、ダイポール音源１と運転者２を結ぶ線上の近傍では放射音が互いに干渉して打ち消し合って小さくなり、運転者２近傍ではダイポール音源１からの直接音はほとんど到達しない。従って、音響放射の主軸方向ａ，ａ’では十分な音量を確保する一方、運転者２近傍では音量が低減されるという良好な音環境が得られる。
【先行技術文献】
【特許文献】
【０００７】
【特許文献１】特許第３２２１８３５号公報
【発明の概要】
【発明が解決しようとする課題】
【０００８】
この特許文献１の装置では、ダイポール音源１を乗車キャビンの天井（ルーフ部）上に載置固定されたものである。このため、車高が高くなり、このダイポール音源１を搭載したことによって、天井が高く走行できない道が発生する。また、ダイポール音源１が外部に露出されることによって、ダイポール音源１が傷み易くなる。
【０００９】
緊急車両においては、乗車キャビンにはハイルーフ仕様のものも多い。このようなハイルーフ仕様の乗車キャビンにおいて、特許文献１の記載のように、乗車キャビンの天井（ルーフ部）上に載置固定すれば、車高は極めて高いものとなって好ましくない。
【００１０】
このため、このようなハイルーフ仕様の乗車キャビンに対して、車高をより高くしないで、前記ダイポール音源１を搭載しようとすれば、キャビンの天井部側においてキャビン内部に配設されるダイポール音源収納部室を形成することを提案できる。しかしながら、キャビン内部にダイポール音源収納部室を形成しようとすれば、ダイポール音源の後方音響放射面に相対面するような収納室後壁部が形成されることになる。
【００１１】
ところで、緊急走行時の周囲への安全確保のためには、車両前方は勿論、車両側方及び車両後方の走行車両へも、緊急車両走行を警報音で緊急性を伝える必要がある。しかしながら、前記ダイポール音源１では、各主軸（音響放射軸）ａ，ａ’は水平方向に延びるものである。このため、ダイポール音源１の後方に収納室後壁部があれば、後方の音が、この収納室後壁部によって、反射や遮断等されるおそれがある。
【００１２】
本発明は、上記課題に鑑みて、警告音を発生する一対の音響放射面を互いに外側に向けて同軸上に配設した音響発生器を、後方へ放射される音が遮られず、しかも、警報音発生器の音響放射軸と直交する軸上に運転者の頭部乃至その近傍が配置され、さらには、警報音発生器が外部に露出されずに警報音発生器の傷みの発生を有効に抑えることができる緊急車両を提供する。
【課題を解決するための手段】
【００１３】
本発明の緊急車両は、運転者が乗車するハイルーフ仕様の乗車キャビンを備え、警報音を発生する警報音発生器が前記乗車キャビンに搭載される緊急車両であって、ハイルーフ仕様の乗車キャビンの天井部の前方側に前記警報音発生器を収納する発生器収納室が設けられるとともに、この発生器収納室は乗車キャビン上壁よりも乗車キャビン内部側に形成され、前記警報音発生器は相反する方向に逆位相の音を同時に発生させて音の打消し減衰部が形成される一対のホーンを有し、一方のホーンから発生する音の主軸が斜め下方前方に延びるとともに、他方のホーンから発生する音の主軸が斜め上方後方に延びるように、前記警報音発生器を前記発生器収納室内に傾斜させて配置し、乗車キャビンの少なくとも運転者が音の打消し減衰部に対応するものである。ここで、運転者が音の打消し減衰部に対応するとは、警報音発生器の音響放射軸と直交する軸上に運転者の頭部乃至その近傍が配置されることである。
【００１４】
本発明の車両によれば、警報音発生器としては、相反する方向に逆位相の音を同時に発生させるダイポール音源（二重音源）であるアクティブ制御スピーカーを用いるものである。このため、この警報音発生器の下方向においてはその警報音の音量を下げることができる。すなわち、警報音発生器の下方向及び側方においては音の打消し減衰部が形成される。そして、音の打消し減衰部に乗車キャビン内の運転者が位置することができる。
【００１５】
また、乗車キャビンの天井部に設けられた発生器収納室に警報音発生器が収容されるので、警報音発生器を有効に保護できる。しかも、発生器収納室は乗車キャビン上壁よりも乗車キャビン内部側に形成されるので、このような発生器収納室を設けても、車高が高くならない。また、ハイルーフ仕様であるので、発生器収納室を乗車キャビン内部側に形成されたとしても、運転者に影響を与えるものではない。特に、警報音発生器は前方下傾状に配設されるため、音響放射軸が水平方向に延びる場合と相違して、音響放射軸が傾斜状となって、ダイポール音源の後方の音響放射面に相対面する後壁が設けられず、後方への音が遮断や反射される部材が形成されない。また、前方への音に対しても、遮断や反射される部材が形成されない。
【００１６】
前方の音は、ホーンから発生する音の主軸が斜め下方前方に延びるため、車両の近くの人には聞こえやすく、地上にて音が反射することで、遠い人にも聞こえやすくなる。また、他方のホーンから発生する音の主軸が斜め上方後方に延びるため、後方の音が、反射や遮断等がされにくくなっている。
【００１７】
発生器収納室に、一方のホーンからの音が放射される前方側放射口と、他方のホーンからの音が放射される後方側放射口とが設けられるのが好ましい。
【００１８】
前記発生器収納室に、警報音発生器と相違する副警報音発生器が収納されるものであってもよい。前記警報音発生器は、前記一対のホーンと、各ホーンにそれぞれ付設される駆動部としてのドライバーユニットを備え、これらを直列状に配置しているもので構成できる。また、車両として、消防車であっても、救急車であってもよい。
【発明の効果】
【００１９】
音の打消し減衰部に乗車キャビン内の運転者が位置することができ、運転者にとっては、静かな環境で乗車できる。特に、消防本部等の指揮者からの無線通信等による指令が運転者へ的確に伝わり、この緊急車両の迅速な運行が可能となる。
【００２０】
警報音発生器を有効に保護でき、警報音発生器は長期にわたって安定した機能を発揮することができる。また、警報音発生器を搭載したことによって車高が高くならず、しかも、ハイルーフ仕様であるので、発生器収納室を乗車キャビン内部側に形成したとしても、警報音発生器の搭載が影響することのない運転が可能となる。
【００２１】
前方の音は、車両の近くの人には聞こえやすく、地上にて音が反射することで、遠い人にも聞こえやすくなり、後方の音は、反射や遮断等がされにくくなっている。このため、警報音を鳴らす車両にもかかわらず、運転者は、静かな環境で乗車でき、指令本部の指揮との円滑な交信を行うことができる。
【００２２】
発生器収納室に、前方側放射口と後方側放射口とを設けることによって、発生器収納室内の警報音発生器からの警報音の指向特性は安定する。
【００２３】
一対のホーン間の中間部位が、乗車キャビンの乗車員の運転者が着座した状態における頭部位置よりも前方に配置されるように設定でき、運転者は、頭部を音の打消し減衰部に位置させることができる。
【００２４】
前記発生器収納室に、別の副警報音発生器を搭載することによって、ダイポール音源を構成する警報音発生器が故障等したときに、この別の発生器にて警報音（サイレン音）を鳴らすことができる。
【００２５】
前記警報音発生器は、一対のホーンと一対のドライバーユニットを直列状に配置したことによって、その幅寸法を一般的なサイレンスピーカーと同等とでき、発生器収納室の幅方向の寸法が大とならない。また、いずれかのドライバーユニットが故障等したときに、故障していない方のドライバーユニットを駆動させることによって、警報音を鳴らすことができる。
【００２６】
車両として、消防車であっても、救急車であってもよく、これらの車両に対して、警報音を安定して鳴らすことできる。しかも、警報音発生中においても、静かな環境下で、指令本部の指揮者との円滑な交信が可能となる。
【図面の簡単な説明】
【００２７】
【図１】本発明の車両の実施形態を示す要部側面図である。
【図２】前記図１の車両の要部拡大断面図である。
【図３】警報音発生器の側面図である。
【図４】警報音発生器のホーンの断面図である。
【図５】警報音発生器のドライバーユニットの断面図である。
【図６】警報音発生器のからの警報音を示し、（ａ）は前方向の音の波形図であり、（ｂ）は後方向の音の波形図であり、（ｃ）は前方向の音と後方向の音の合成波形図である。
【図７】警報音発生器によって得られる指向特性図を示し、（ａ）は放射する音が１０００Ｈｚの場合の指向特性図であり、（ｂ）は放射する音が５００Ｈｚの場合の指向特性図である。
【図８】乗車キャビンの天井部の簡略斜視図である。
【図９】乗車キャビンの天井部の要部平面図である。
【図１０】乗車キャビンの天井部の要部正面図である。
【図１１】ダイポール音源が搭載された従来の車両の簡略図である。
【発明を実施するための形態】
【００２８】
以下本発明の実施の形態を図１〜図１０に基づいて説明する。図１は、本発明の車両を構成する消防車を示し、この消防車は、車両フレーム１０上に、前方に配設される乗車キャビン１１と、この乗車キャビン１１よりも後方に配設される車両ボディ１２とを備えたものである。車両ボディ１２には、消防活動用資材および救急活動用資機材等が積載している。
【００２９】
乗車キャビン１１は、いわゆるダブルキャビンタイプであって、内部には、運転席１３と、運転席の後方の後部席１４とを有する空間が設けられる。すなわち、前方のドア１５と後方のドア１６とを有する左右の側壁１７，１７と、前窓１８を有する前壁１９と、天井部（ルーフ部）２０とを備える。
【００３０】
また、この乗車キャビン１１はいわゆるハイルーフ仕様であって、乗車キャビン１１の前記空間の高さ寸法が大となっている。すなわち、キャビン容積を広くとれる構造となっている。なお、この天井部としては、ＦＲＰ製ハイルーフであっても、ＣＦＲＰ製ハイルーフ、鋼板製ハイルーフであってもよい。
【００３１】
乗車キャビン１１の天井部２０の前方側には警報音発生器２１が搭載される。この場合、天井部２０の前方部に発生器収納室２２が設けられ、この発生器収納室２２に警報音発生器２１が収納される。この場合、発生器収納室２２は乗車キャビン上壁Ｔよりも乗車キャビン内部側に形成されている。すなわち、このような発生器収納室２２を設けることによって、車高がより高くならないようにしている。
【００３２】
警報音発生器２１は、図３に示すように、一対のホーン２５，２６と、各ホーン２５，２６にそれぞれ付設される駆動部としてのドライバーユニット（駆動部）２７，２８を備え、これらを直列状（直線状）に配置しているものである。この警報音発生器２１は、警告音を発生する一対の音響放射面２５ａ、２６ａを互いに外側に向けて同軸上に配設したものである。
【００３３】
ホーン２５，２６は、図４に示すように、いわゆる折り返しホーンであり、このホーンの開口端が音響放射面２５ａ、２５ａ、２６ａ、２６ａとされ、ドライバーユニット２７，２８から放射された音は、折り返しホーンの通路の中心軸を沿って矢印方向に進み、各音響放射面２５ａ、２５ａ、２６ａ、２６ａから外部へ放射される。
【００３４】
また、ドライバーユニット２７，２８は、この実施形態では、図５に示すようにダイナミック型を使用し、マグネット３０とダイアフラム（振動板）３１とボイスコイル３２等を備え、音響信号をダイアフラム３１に伝えることで、音を作ることができる。
【００３５】
そして、図４に示すように、ドライバーユニット２７，２８の音放射口２９、２９が、ホーン２５，２６の入射口３３，３３に連結されている。このため、ドライバーユニット２７，２８から放射された音は、ホーン２５，２６内部を介して音響放射面２５ａ、２５ａ、２６ａ、２６ａから外部へ放射される。
【００３６】
このように構成された警報音発生器２１は、一方向（前方向）の音は、図６（ａ）に示すような波形を示し、他方向（後方向）の音は、図６（ｂ）に示すような波形を示すことになる。すなわち、図６（ａ）と図６（ｂ）とでは、逆位相の音を同時に鳴らすものとなっている。このため、図６（ｃ）に示すように、合成されて、打消し合うことになる。
【００３７】
従って、二重音源（前記警報発生器２１のように、相反する方向に逆位相の音を同時に発生させるダイポール音源）は、互いの音源が干渉することによって、8字型の音圧分布になる。すなわち、警報音発生器２１からの指向特性５０は、図７に示す形状となって、警報音発生器２１の長手方向中央部の上下方向及び側部の警報音を減衰できる。なお、図７（ａ）は放射する音が１０００Ｈｚの場合の指向特性図であり、図７（ｂ）は放射する音が５００Ｈｚの場合の指向特性図である。
【００３８】
警報音発生器２１が収納される発生器収納室２２は、図８〜図１０に示すように、天井部（ルーフ部）２０の前方の幅方向中央に設けられる中空室からなる。発生器収納室２２は図２に示すように、警報音発生器２１が載置固定される底壁３５と、中空室の上方開口部を塞ぐ上壁３６とを備える。この上壁３６は、上方から下方に向かって前方へ傾斜する前方傾斜部３６ａと、これにコーナ部３６ｂを介して連設される上壁水平部３６ｃとを有する。なお、この上壁３６は、天井部２０の上壁（天板）Ｔの一部（前端部）を構成するものである。
【００３９】
この場合、平面視において、警報音発生器２１はその軸方向（長手方向）を、車両の前後方向に沿って配設され、一方のホーン２５の音響放射面２５ａ、２５ａが前方側に配置され、他方のホーン２６の音響放射面２６ａ、２６ａが後方側に配置される。
【００４０】
そして、上壁３６の前方傾斜部３６ａに、一方（前方）のホーン２５からの音が放射される前方側放射口４０が形成され、他方（後方）のホーン２６からの音が放射される後方側放射口４１が形成されている。この実施形態では、前方側放射口４０及び後方側放射口４１は、それぞれ、複数のスリット孔から形成されている。なお、スリット孔としては、乗車キャビン１１の幅方向に沿って伸びるスリット孔であっても、前後方向に沿って伸びるスリット孔であってもよい。また、上壁３６に正方形乃至矩形状の孔部を設け、この孔部に、複数のスリット孔を有する枠体を着脱自在に装着するものであってもよい。
【００４１】
底壁３５は、図１と図２に示すように、所定角度θで傾斜する載置面３５ａを有しこの載置面３５ａに警報音発生器２１が載置固定される。この場合、警報音発生器２１に鍔状の取付片（図示省略）が設けられ、この取付片をいわゆるビス止めにて載置面３５ａに取付られる。また、底壁３５は、前記載置面３５ａと、載置面３５ａよりも前方側の前底部３５ｂと、載置面３５ａよりも後方側の後底部３５ｃとからなる。この実施形態では、前底部３５ｂは水平面状とされ、後底部３５ｃはキャビン内部側にわずかに突状となる湾曲面状とされている。このため、この発生器収納室２２には、前方の音響放射面２５ａに相対面する前壁や後方の音響放射面２６ｂに相対面する後壁が存在しない。なお、前底部３５ｂとしては、水平面状に限らず、傾斜面状であってもよく、また、後底部３５ｃとしても、湾曲面形状に限らず、一つ又は複数の傾斜面からなる傾斜面状等であってもよい。要は、警報音発生器２１の音響反射面２５ａ，２６ａに相対面する壁部が形成されなければよい。
【００４２】
このため、警報音発生器２１は、図１に示すように、一方のホーン２５から発生する音の主軸Ａ１が斜め下方前方に延びるとともに、他方のホーン２６から発生する音の主軸Ａ２が斜め上方後方に延びるように配置されることになる。なお、図示省略するが、底壁３５及び／又は上壁３６を開閉可能な構造とするのが好ましい。底壁３５及び／又は上壁３６を開閉可能な構造とすることによって、発生器収納室２２内の警報音発生器２１の点検や交換作業を容易に行うことができる。
【００４３】
このように、警報音発生器２１は前方下傾状に配設されるため、音響放射軸が水平方向に延びる特許文献１のダイポール音源を設置する場合と相違して、ダイポール音源の後方の音響放射面に相対面する後壁が設けられず、後方への音が遮断や反射される部材が形成されない。また、前方への音に対しても、遮断や反射される部材が形成されない。
【００４４】
前記のように、警報音発生器２１はその下方側において、音の打消し減衰部５０ａが形成するので、この音の打消し減衰部５０ａに、乗車員Ｓが対応するのが好ましい。このため、この実施形態では、図１に示すように、乗車員Ｓである運転者Ｓ１が運転席１３に着席した状態で、警報音発生器の音響放射軸Ａ１，Ａ２と直交する軸Ａ３上に運転者Ｓ１の頭部４６乃至その近傍が配置され、運転者Ｓ１の頭部４６が音の打消し減衰部５０ａに対応するように配置するのが好ましい。
【００４５】
ところで、警報音発生器２１は、その一方のドライバーユニット２７側が下傾した状態で、配置されるので、運転者Ｓ１の頭部４６が音の打消し減衰部５０ａに対応するように配置するためには、一対のホーン２５，２６間の中間部位が、乗車キャビン１１の乗車員の運転者Ｓが着座した状態における頭部４６位置よりも前方に配置されることになる。
【００４６】
この車両においては、発生器収納室２２は、図９と図１０に示すように、警報音発生器２１以外に、この警報音発生器２１と相違する副警報音発生器５１が収納されている。この場合の副警報音発生器５１は、通常の既存のモーターサイレンである。ここで、モーターサイレンとは、モータによってロータを高速回転させて風切窓を断続的に開閉させることにより吹鳴するものである。副警報音発生器５１にも、鍔状の取付片（図示省略）が設けられ、この取付片をいわゆるビス止めにて載置面３５ａに取付られる。なお、実施形態では、警報音発生器２１と副警報音発生器５１とを並列していているが、この場合、これらの左右位置や配置間隔等は任意に設定できる。また、警報音発生器２１と副警報音発生器５１とが前後にずれていてもよい。
【００４７】
本発明の車両では、警報音発生器２１としては、相反する方向に逆位相の音を同時に発生させるダイポール音源であるアクティブ制御スピーカーを用いるものである。このため、この警報音発生器２１の下方向においては、聞こえる警報音の音量を下げることができる。すなわち、警報音発生器２１の下方向及び側方においては音の打消し減衰部５０ａが形成される。そして、音の打消し減衰部５０ａに乗車キャビン１１内の乗車員Ｓである運転者Ｓ１が位置することができ、運転者Ｓ１にとっては、静かな環境で乗車できる。特に、消防本部等の指揮者からの無線通信等による指令が運転者Ｓ１へ的確に伝わり、この緊急車両の迅速な運行が可能となる。
【００４８】
また、乗車キャビン１１の天井部２０に設けられた発生器収納室２２に警報音発生器２１が収容されるので、警報音発生器２１を有効に保護できる。また、警報音発生器を搭載したことによって車高が高くならず、しかも、ハイルーフ仕様であるので、発生器収納室２２を乗車キャビン内部側に形成したとしても、警報音発生器２１の搭載が影響することのない運転が可能となる。
【００４９】
前方の音は、一方のホーン２５から発生する音の主軸Ａ１が斜め下方前方に延びるため、車両の近くの人には聞こえやすく、地上にて音が反射することで、遠い人にも聞こえやすくなる。また、他方のホーン２６から発生する音の主軸Ａ２が斜め上方後方に延びるため、後方の音が、反射や遮断等がされにくくなっている。このため、警報音を鳴らす車両として、運転者Ｓ及び他の乗車員Ｓにとっては、静かな環境で乗車できるにもかかわらず、安定した警報音を鳴らすことができる。警報音発生器２１の搭載が影響することのない車両の走行が可能となる。
【００５０】
発生器収納室２２に、一方のホーン２５からの音が放射される前方側放射口４０と、他方のホーン２６からの音が放射される後方側放射口４１とが設けられることによって、発生器収納室２２内の警報音発生器２１からの警報音の指向特性は安定する。
【００５１】
一対のホーン２５，２６間の中間部位が、乗車キャビン１１の乗車員Ｓである運転者Ｓ１が着座した状態における頭部４６位置よりも前方に配置されるように設定でき、これによって、運転者Ｓ１は、その頭部を安定して音の打消し減衰部５０ａに位置させることができる。
【００５２】
前記発生器収納室２２に、警報音発生器２１とは相違する副警報音発生器５１が収納されるものであってもよい。このように、別の発生器５１を搭載することによって、ダイポール音源を構成する警報音発生器２１が故障等したときに、この別の発生器５１にて警報音（サイレン音）を鳴らすことができる。
【００５３】
前記警報音発生器２１は、ホーン２５，２６とドライバーユニット２７，２８を直列状に配置したことによって、その幅寸法を一般的なサイレンスピーカーと同等とでき、発生器収納室２２の幅方向の寸法が大とならない。また、いずれかのドライバーユニット２７，２８が故障等したときに、故障していない方のドライバーユニットを駆動させることによって、警報音を鳴らすことができる。
【００５４】
ところで、この車両においては、図１の仮想線で示すように、車両ボディ１２に乗車キャビン１１の最上位よりも高位となる高位部４５が設けられる場合がある。このような場合、他方のホーン２６から発生する音の主軸Ａ２が、この高位部４５に接触しない（高位部４５から外れるような）傾斜とするのが好ましい。なお、高位部４５としては、車両ボディ１２の天井部でもって構成されたり、車両ボディ１２の天井部に配置される梯子、警告灯やその他の付属部品等であってもよい。
【００５５】
このように、他方のホーン２６からの音の主軸Ａ２が車両ボディ１２の高位部４５に接触しないよう構成であれば、後方の音が、より一層遮断や吸音されにくくなっている。勿論、本発明においては、このような高位部４５が設けられるものに限定されるものではなく、車両として、乗車キャビン１１の天井部２０が最高位置となるものであってもよい。
【００５６】
以上、本発明の実施形態につき説明したが、本発明は前記実施形態に限定されることなく種々の変形が可能であって、車両として、消防車以外に救急車であってもよく、これらの車両に対して、警報音を安定して鳴らすことできる。しかも、警報音発生中においても、静かな環境下で、指令本部の指揮者との円滑な交信が可能となる。
【００５７】
警報音発生器２１の傾斜角度θとしては、後方の音が遮断されたり、反射されたり、吸音されたりしない範囲に種々変更できる。また、乗車員（運転者Ｓ１）の頭部４６位置に音の打消し減衰部５０ａを対応させるのが好ましいので、この傾斜角度θに応じて、警報音発生器２１の前後方向位置を変更する必要がある。
【００５８】
警報音発生器２１のドライバーユニット２７，２８として、前記実施形態では、ダイナミック型としたが、バランスドアーマチュア型やコンデンサー型等の他のタイプを用いてもよい。また、ホーン２５，２６として、前実施形態では、３回の折り返しするものであったが、１回、２回、さらには４回以上であってもよい。
【００５９】
また、警報音発生器２１は、前記実施形態では、一方のホーン２５と他方のホーン２６とが一体状に連設された形状であったが、一方のホーン２５と他方のホーン２６とが分離されたものであってもよい。すなわち、警報音発生器２１として、相反する方向に逆位相の音を同時に発生させることができればよい。
【００６０】
警報音発生器２１としては、前後の音を逆位相として、その下方で音の打消し減衰部５０ａを形成する必要があるので、発生器収納室２２として、前後方向の形状が対称形状とするのが好ましい。これは、発生器収納室２２の形状が前後で大きく異なると、下方向の減衰効果が小さくなるおそれがあるからである。
【００６１】
前記実施形態では、発生器収納室２２には、アクティブ制御スピーカーである警報音発生器２１と、他の副警報音発生器５１とが収納されているが、この他の副警報音発生器５１を省略してもよい。また、この副警報音発生器５１を搭載する場合、アクティブ制御スピーカーである警報音発生器２１と同様の構造の発生器を用いてもよい。
【００６２】
車両としては、前記実施形態では、乗車キャビン１１が運転席１３と運転席の後方の後部席１４とを有するダブルキャビンタイプあったが、後方の後部席１４とを有さないシングルキャビンタイプであってもよい。また、前記実施形態では、乗車キャビン１１と車両ボディ１２とを有するものであったが、車両として、乗車キャビン１１と車両ボディ１２とが一体状になっているバス型車両やワンボックスタイプの車両であってもよい。なお、運転席１３の横には通常助手席が設けられるが、この助手席の乗車員Ｓに対しても、その頭部が音の減衰部５０ａに配設されるのが好ましい。
【００６３】
また、消防車や救急車に限るものではなく、パトカーや電気ガス等の危険防止のための応急作業に使用する車両等であってもよい。このため、警報音発生器２１にて鳴らされる警報音（サイレン音）の周波数は種々変更できる。
【符号の説明】
【００６４】
１１   乗車キャビン
１２   車両ボディ
２０   天井部
２１   警報音発生器
２２   発生器収納室
２５，２６    ホーン
２７，２８    ドライバーユニット
４０   前方側放射口
４１   後方側放射口
４６   頭部
５０ａ 減衰部
５１   副警報音発生器
Ｓ１   運転者
【図１】
0006042300.tif 000002
【図２】
0006042300.tif 000003
【図３】
0006042300.tif 000004
【図４】
0006042300.tif 000005
【図５】
0006042300.tif 000006
【図６】
0006042300.tif 000007
【図７】
0006042300.tif 000008
【図８】
0006042300.tif 000009
【図９】
0006042300.tif 000010
【図１０】
0006042300.tif 000011
【図１１】
0006042300.tif 000012